(57)【特許請求の範囲】
【請求項１】
第１圧縮機（21）と、該第１圧縮機（21）の吐出側に接続される第２圧縮機（22）とを含み、前記第１圧縮機（21）が停止し第２圧縮機（22）が駆動される冷凍サイクルを行う第１運転と、前記第１圧縮機（21）と前記第２圧縮機（22）とが駆動される冷凍サイクルを行う第２運転とを切り換え可能な冷媒回路（20）と、
前記冷媒回路（20）を制御する制御部（100）とを備え、
前記冷媒回路（20）は、
前記第１圧縮機（21）の吸入側と吐出側とを繋ぐバイパス配管（PB）と、
前記バイパス配管（PB）に接続され、前記第１圧縮機（21）の吐出側から吸入側に向かう冷媒の流れを制限する逆止弁（29）とを有し、
前記制御部（100）は、前記第２運転の開始前または開始時に、前記第１圧縮機（21）の吐出側と吸入側との差圧を増大させる第１制御を実行することを特徴とする冷凍装置。
【請求項２】
請求項１において、
前記制御部（100）は、前記第１圧縮機（21）及び前記第２圧縮機（22）の停止状態から前記第２運転を開始する前に、前記第１制御として前記第１圧縮機（21）を駆動させることを特徴とする冷凍装置。
【請求項３】
請求項２において、
前記制御部（100）は、前記第１制御により前記第１圧縮機（21）が駆動する間、前記第１圧縮機（21）の吐出側と吸入側との差圧が所定値以上になると、前記第２運転を実行させることを特徴とする冷凍装置。
【請求項４】
請求項２において、
前記制御部（100）は、
前記第１制御により前記第１圧縮機（21）が駆動する時間が所定時間を越えると、前記第２運転を実行させることを特徴とする冷凍装置。
【請求項５】
請求項１〜４のいずれか１つにおいて、
前記制御部（100）は、前記第１運転から前記第２運転に切り換える前に、前記第１制御として前記第２圧縮機（22）の回転数を低下させることを特徴とする冷凍装置。
【請求項６】
請求項５において、
前記制御部（100）は、前記第１制御により前記第２圧縮機（22）の回転数が低下する間、
該第２圧縮機（22）の吸入側の冷媒の圧力を示す指標が所定値以上になると、前記第２運転を実行させることを特徴とする冷凍装置。
【請求項７】
請求項１〜６のいずれか１つにおいて、
前記制御部（100）は、前記第２運転の開始時に、前記第１制御として、駆動中の前記第２圧縮機（22）の冷媒の流量が、駆動中の前記第１圧縮機（21）の冷媒の流量以下となるように、前記第１圧縮機（21）および前記第２圧縮機（22）の少なくとも一方の回転数を調節することを特徴とする冷凍装置。
【請求項８】
請求項７において、
前記制御部（100）は、前記第２運転の開始時に、前記第１制御として、駆動中の前記第２圧縮機（22）の冷媒の流量が、駆動中の前記第１圧縮機（21）の冷媒の流量以下となるように、前記第１圧縮機（21）の回転数を変更せず、前記第２圧縮機（22）の回転数を低下させることを特徴とする冷凍装置。
【請求項９】
請求項７において、
前記制御部（100）は、
前記第２運転の開始時に、前記第１制御として、駆動中の前記第２圧縮機（22）の冷媒の流量が、駆動中の前記第１圧縮機（21）の冷媒の流量以下となるように、前記第２圧縮機（22）の回転数を変更せず、前記第１圧縮機（21）の回転数を上昇させることを特徴とする冷凍装置。
【請求項１０】
請求項１〜９のいずれか１において、
前記冷媒回路（20）は、
前記第１圧縮機（21）の吐出側と前記第２圧縮機（22）の吸入側との間に冷媒を導入するインジェクション機構（30）を有し、
前記制御部（100）は、前記第１運転から前記第２運転に切り換わる前、又は前記第２運転の開始時に、前記第１制御として、前記インジェクション機構（30）により冷媒を前記第１圧縮機（21）の吐出側と前記第２圧縮機（22）の吸入側との間に導入することを特徴とする冷凍装置。
【請求項１１】
請求項１〜１０のいずれか１つにおいて、
前記制御部（100）は、外気温が所定値以下であるとき、前記第１制御を行うことを特徴とする冷凍装置。
【発明の詳細な説明】
【技術分野】
【０００１】
本開示は、冷凍装置に関する。
【背景技術】
【０００２】
特許文献１には、第１圧縮機と、第１圧縮機の吐出側に接続される第２圧縮機とを含む冷媒回路を備えた冷凍装置が開示されている。この冷凍装置では、第１圧縮機が停止され、第２圧縮機が駆動される第１運転と、第１圧縮機と第２圧縮機とが駆動される第２運転とを切り換えることが可能である。
【先行技術文献】
【特許文献】
【０００３】
【特許文献１】特開２００８−６４４２１号公報
【発明の概要】
【発明が解決しようとする課題】
【０００４】
本願発明者らは、第１運転と第２運転とを切り換えるために、第１圧縮機の吐出側と吸入側とをバイパスするバイパス配管と該バイパス配管に接続される逆止弁とを設ける構成を創出した。第１運転では、蒸発器から流出した冷媒が、バイパス配管を経由して駆動中の第２圧縮機に吸入される。第２運転では、第１圧縮機の吸入側と吐出側と差圧が上昇することにより逆止弁が閉じ、蒸発後の冷媒はバイパス配管を経由せずに第１圧縮機の吸入側に送られる。
【０００５】
しかし、第１圧縮機において吸入側の冷媒圧力が比較的低いと、それに伴って吐出側の冷媒圧力も低くなる場合がある。そのため、第２運転が開始しても、逆止弁が閉じるくらいにまで上記差圧が上昇せず、冷媒はバイパス配管を経由して第２圧縮機に吸入され続けてしまう。その結果、第２運転開始以降、逆止弁が閉じなくなるおそれがある。
【０００６】
本開示の目的は、第２運転開始以降、バイパス配管に接続される逆止弁が閉じなくなることを抑制する冷凍装置を提供することである。
【課題を解決するための手段】
【０００７】
本開示の第１の態様は、
第１圧縮機（21）と、該第１圧縮機（21）の吐出側に接続される第２圧縮機（22）とを含み、前記第１圧縮機（21）が停止し第２圧縮機（22）が駆動される冷凍サイクルを行う第１運転と、前記第１圧縮機（21）と前記第２圧縮機（22）とが駆動される冷凍サイクルを行う第２運転とを切り換え可能な冷媒回路（20）と、
前記冷媒回路（20）を制御する制御部（100）とを備え、
前記冷媒回路（20）は、
前記第１圧縮機（21）の吸入側と吐出側とを繋ぐバイパス配管（PB）と、
前記バイパス配管（PB）に接続され、前記第１圧縮機（21）の吐出側から吸入側に向かう冷媒の流れを制限する逆止弁（29）とを有し、
前記制御部（100）は、前記第２運転の開始前または開始時に、前記第１圧縮機（21）の吐出側と吸入側との差圧を増大させる第１制御を実行する。
【０００８】
第１の態様では、バイパス配管（PB）は、第１圧縮機（21）の吸入側と吐出側とを繋ぐため、第１制御により第１圧縮機（21）の吸入側と吐出側との差圧が増大すると、逆止弁（29）の流入側と流出側との差圧も増大する。その結果、第２運転開始以降、逆止弁（29）が閉じなくなることを抑制できる。
【０００９】
本開示の第２の態様は、第１の態様において、
前記制御部（100）は、前記第１圧縮機（21）及び前記第２圧縮機（22）の停止状態から前記第２運転を開始する前に、前記第１制御として前記第１圧縮機（21）を駆動させる。
【００１０】
第２の態様では、第１圧縮機（21）と第２圧縮機（22）とが停止している状態から、第１圧縮機（21）が駆動されるため、冷媒は第１圧縮機（21）によって圧縮される。このことにより、第１圧縮機（21）の吸入側と吐出側との差圧が増大する。この結果、その後の第２運転の開始時において、逆止弁（29）の流入側と流出側との差圧を増大させることができる。
【００１１】
本開示の第３の態様は、第２の態様において、
前記制御部（100）は、前記第１制御により前記第１圧縮機（21）が駆動する間、前記第１圧縮機（21）の吐出側と吸入側との差圧が所定値以上になると、前記第２運転を実行させる。
【００１２】
第３の態様では、第１圧縮機（21）の吐出側と吸入側との差圧が所定値以上に増大させてから、第２運転を開始できる。
【００１３】
本開示の第４の態様は、第２の態様において、
前記制御部（100）は、
前記第１制御により前記第１圧縮機（21）が駆動する時間が所定時間を越えると、前記第２運転を実行させる。
【００１４】
第１制御により第１圧縮機（21）が駆動されてから所定時間が経過すると、第１圧縮機（21）の吸入側と吐出側の差圧がある程度上昇する。そこで、第４の態様では、第１制御により第１圧縮機（21）が駆動されてから所定時間が経過すると、制御部（100）が第２運転を実行させる。これにより、第１圧縮機（21）の吸入側と吐出側の差圧をある程度上昇させてから、第２運転を開始することができる。
【００１５】
本開示の第５の態様は、第１〜第４の態様のいずれか１つにおいて、
前記制御部（100）は、前記第１運転から前記第２運転に切り換える前に、前記第１制御として前記第２圧縮機（22）の回転数を低下させる。
【００１６】
第５の態様では、第２圧縮機（22）の回転数が低下すると、第２圧縮機（22）の吸入側の圧力が上昇する。ここで、第２圧縮機（22）の吸入側と第１圧縮機（21）の吐出側とはほぼ同圧である。第１圧縮機（21）は停止しているため、第１圧縮機（21）の吐出側と吸入側とはほぼ同圧となる。そのため、第１運転において、第２圧縮機（22）の吸入側の圧力が上昇すると、第１圧縮機（21）の吸入側の圧力を増大できる。このことにより、第２運転の開始時に、第１圧縮機（21）の吐出側の圧力を上昇できる。
【００１７】
本開示の第６の態様は、第５の態様において、
前記制御部（100）は、前記第１制御により前記第２圧縮機（22）の回転数が低下する間、該第２圧縮機（22）の吸入側の冷媒の圧力を示す指標が所定値以上になると、前記第２運転を実行させる。
【００１８】
第６の態様では、第１制御により、第２圧縮機の回転数が低下すると、第２圧縮機（22）の吸入側の冷媒の圧力が増大する。第２圧縮機（22）の吸入側の冷媒の圧力が所定値以上になると、第１圧縮機（21）の吐出側の吸入側の圧力も所定値以上となる。制御部（100）は、第１圧縮機（21）の吸入側の圧力が所定値以上になると第２運転を実行する。これにより、第１圧縮機（21）の吸入側と吐出側の差圧をある程度上昇させてから、第２運転を開始することができる。
【００１９】
本開示の第７の態様は、第１〜第６の態様において、
前記制御部（100）は、前記第２運転の開始時に、前記第１制御として、駆動中の前記第２圧縮機（22）の冷媒の流量が、駆動中の前記第１圧縮機（21）の冷媒の流量以下となるように、前記第１圧縮機（21）および前記第２圧縮機（22）の少なくとも一方の回転数を調節する。
【００２０】
第７の態様では、第２運転の開始時（第１圧縮機（21）の駆動時）において、第２圧縮機（22）を流れる冷媒の流量が第１圧縮機（21）を流れる流量以下となると、第１圧縮機（21）の吐出側の圧力が上昇する。このことにより、第１圧縮機（21）の吸入側の圧力が上昇するため、第１圧縮機（21）の吐出側と吸入側との差圧を上昇できる。
【００２１】
本開示の第８の態様は、第７の態様において、
前記制御部（100）は、前記第２運転の開始時に、前記第１制御として、駆動中の前記第２圧縮機（22）の冷媒の流量が、駆動中の前記第１圧縮機（21）の冷媒の流量以下となるように、前記第１圧縮機（21）の回転数を変更せず、前記第２圧縮機（22）の回転数を低下させる。
【００２２】
第８の態様では、第１圧縮機（21）の回転数を変更することなく、第２圧縮機（22）を流れる冷媒の流量を、第１圧縮機（21）を流れる流量以下とすることができる。
【００２３】
本開示の第９の態様は、第７の態様において、
前記制御部（100）は、
前記第２運転の開始時に、前記第１制御として、駆動中の前記第２圧縮機（22）の冷媒の流量が、駆動中の前記第１圧縮機（21）の冷媒の流量以下となるように、前記第２圧縮機（22）の回転数を変更せず、前記第１圧縮機（21）の回転数を上昇させる。
【００２４】
第９の態様では、第２圧縮機（22）の回転数を変更することなく、第２圧縮機（22）を流れる冷媒の流量を、第１圧縮機（21）を流れる流量以下とすることができる。
【００２５】
本開示の第１０の態様は、第１〜第９の態様において、
前記冷媒回路（20）は、
前記第１圧縮機（21）の吐出側と前記第２圧縮機（22）の吸入側との間に冷媒を導入するインジェクション機構（30）を有し、
前記制御部（100）は、前記第１運転から前記第２運転に切り換わる前、又は前記第２運転の開始時に、前記第１制御として、前記インジェクション機構（30）により冷媒を前記第１圧縮機（21）の吐出側と前記第２圧縮機（22）の吸入側との間に導入する。
【００２６】
第１０の態様では、インジェクション機構（30）により、第１圧縮機（21）と第２圧縮機（22）との間の冷媒の圧力を上昇させることができる。このことにより、第１圧縮機（21）の吐出側の圧力を上昇させることができる。
【００２７】
本開示の第１１の態様は、第１〜第１０の態様において、
前記制御部（100）は、外気温が所定値以下であるとき、前記第１制御を行う。
【００２８】
第１１の態様では、外気温が所定の温度以下において、第１制御を行うことにより第１圧縮機（21）の吸入側と吐出側との差圧が小さくなることを抑制できる。
【図面の簡単な説明】
【００２９】
【図１】図１は、実施形態１の冷凍装置の構成を例示する配管図である。
【図２】図２は、制御部と各種のセンサと冷媒回路の構成機器との関係を示すブロック図である。
【図３】図３は、第１加熱運転時の冷媒の流れを示す図１相当図である。
【図４】図４は、第２加熱運転時の冷媒の流れを示す図１相当図である。
【図５】図５は、第１冷却運転時の冷媒の流れを示す図１相当図である。
【図６】図６は、第２冷却運転時の冷媒の流れを示す図１相当図である。
【図７】図７は、第１動作における制御部が行う動作のフローチャートである。
【図８】図８は、第２動作における制御部が行う動作のフローチャートである。
【図９】図９は、変形例１に係る冷凍装置の制御部と各種のセンサと冷媒回路の構成機器との関係を示すブロック図である。
【図１０】図１０は、変形例１に係る冷凍装置の制御部が行う動作のフローチャートである。
【図１１】図１１は、変形例２に係る冷凍装置の制御部が行う図７相当図である。
【図１２】図１２は、変形例３に係る冷凍装置の制御部が行う図８相当図である。
【図１３】図１３は、変形例４に係る冷凍装置の制御部が行う動作のフローチャートである。
【発明を実施するための形態】
【００３０】
以下、本開示の実施形態について図面を参照しながら説明する。なお、以下の実施形態は、本質的に好ましい例示であって、本発明、その適用物、あるいはその用途の範囲を制限することを意図するものではない。なお、図中の矢印は、冷媒回路における冷媒の流れを示す。
【００３１】
《実施形態１》
図１に示すように、本実施形態１の冷凍装置（10）は、対象となる流体を加熱する。対象となる流体は水である。冷凍装置（10）は、加熱された水を、給湯タンク、暖房用のコイル、床暖房用のコイルなどの利用機器へ供給する。冷凍装置（10）は、対象となる流体を冷却する。対象となる流体は水である。冷凍装置（10）は、冷却された水を、冷房用のコイルなどの利用機器へ供給する。冷凍装置（10）は、冷媒回路（20）と、制御部（100）とを備える。
【００３２】
〔冷媒回路〕
冷媒回路（20）は、第１圧縮機（21）と、第２圧縮機（22）と、四路切換弁（23）と、熱源側熱交換器（24）と、逆止弁ブリッジ（25）と、膨張弁（26）と、利用側熱交換器（27）と、アキュムレータ（28）と、バイパス逆止弁（29）とを有する。冷媒回路（20）には、冷媒が充填されており、冷媒回路（20）において冷媒が循環することで冷凍サイクルが行われる。冷媒は、例えば、Ｒ４１０Ａ，Ｒ３２，Ｒ４０７Ｃなどである。
【００３３】
冷媒回路（20）は、第１運転と第２運転とを行うことが可能である。第１運転では、第２圧縮機（22）の一方が駆動され、第１圧縮機（21）が停止する。第２運転では、第１圧縮機（21）および第２圧縮機（22）の両方が駆動される。なお、第１運転と第２運転とについては、後で詳しく説明する。
【００３４】
〈第１圧縮機〉
第１圧縮機（21）は、吸入した冷媒を圧縮し、圧縮した冷媒を吐出する。第１圧縮機（21）には、第１吸入管（51）および第１吐出管（52）が接続される。第１圧縮機（21）は、例えばスクロール式圧縮機である。第１圧縮機（21）は、圧縮機構（図示せず）と該圧縮機構を駆動する電動機（図示せず）とを有する。
【００３５】
第１圧縮機（21）の電動機は、可変容量式である。具体的には、電動機には、インバータ装置が接続される。インバータ装置は、電源から電動機に供給される電力の出力周波数を調節する。これにより、第１圧縮機（21）の電動機の回転数（運転周波数）が調節される。
【００３６】
〈第２圧縮機〉
第２圧縮機（22）は、第１圧縮機（21）の吐出側に設けられる。第２圧縮機（22）は、吸入した冷媒を圧縮し、圧縮した冷媒を吐出する。第２圧縮機（22）は、第１圧縮機（21）よりも容量が大きい。第２圧縮機（22）は、第２吸入管（53）と第２吐出管（54）とが接続される。第２吸入管（53）の流入端と、第１吐出管（52）の流出端とが接続される。第１圧縮機（21）と第２圧縮機（22）とは直列に接続される。
【００３７】
第２圧縮機（22）は、例えば、スクロール式圧縮機である。第２圧縮機（22）は、圧縮機構（図示せず）と該圧縮機構を駆動する電動機（図示せず）とを有する。
【００３８】
第２圧縮機（22）の電動機は、可変容量式である。具体的には、電動機には、インバータ装置が接続される。インバータ装置は、電源から電動機に供給される電力の出力周波数を調節する。これにより、第２圧縮機（22）の電動機の回転数（運転周波数）が調節される。
【００３９】
〈四路切換弁〉
四路切換弁（23）は、電動式の切換弁である。四路切換弁（23）は、第１状態（図１の実線で示す状態）と第２状態（図１の破線で示す状態）とに切り換えられる。第１状態では、第１ポート（P1）と第４ポート（P4）とが連通し、第２ポート（P2）と第３ポート（P3）とが連通する。第２状態では、第１ポート（P1）と第３ポート（P3）とが連通し、第２ポート（P2）と第４ポート（P4）とが連通する。
【００４０】
第１ポート（P1）は、第２吐出管（54）の流出端に接続される。第２ポート（P2）は、第１吸入管（51）の流入端に接続される。第３ポート（P3）は、熱源側熱交換器（24）のガス側端部に連通する。第４ポート（P4）は、利用側熱交換器（27）のガス側端部に連通する。
【００４１】
〈熱源側熱交換器〉
熱源側熱交換器（24）は、冷媒と室外空気（熱源側流体の一例）とを熱交換させる。熱源側熱交換器（24）は、室外熱交換器である。
【００４２】
〈逆止弁ブリッジ〉
逆止弁ブリッジ（25）は、４つの配管と、それぞれの配管に接続される４つの逆止弁（C）とを有する。４つの逆止弁（C）は、第１逆止弁（C1）と第２逆止弁（C2）と第３逆止弁（C3）と第４逆止弁（C4）とを有する。
【００４３】
逆止弁ブリッジ（25）には、主液管（55）が接続される。具体的に、主液管（55）の一端は、第２逆止弁（C2）の流入側と第４逆止弁（C4）の流入側とに接続される。主液管（55）の他端は、第１逆止弁（C1）の流出側と第３逆止弁（C3）の流出側とに接続される。
【００４４】
逆止弁ブリッジ（25）は、熱源側熱交換器（24）の液側端部と利用側熱交換器（27）の液側端部に連通する。具体的に、第２逆止弁（C2）の流出側および第１逆止弁（C1）の流入側は、熱源側熱交換器（24）の液側端部に連通する。第４逆止弁（C4）の流出側および第３逆止弁（C3）の流入側は、利用側熱交換器（27）の液側端部に連通する。
【００４５】
第１〜第４逆止弁（C1〜C4）の各々は、図１の矢印で示した方向への冷媒の流れを許容し、その逆方向の冷媒の流れを制限する。
【００４６】
〈膨張機構〉
膨張弁（26）は、冷媒を膨張させて冷媒の圧力を低下させる。膨張弁（26）は減圧機構に対応する。この例では、膨張弁（26）は、開度を調節可能な膨張弁（例えば電子膨張弁）により構成される。膨張弁（26）は、主液管（55）に接続される。
【００４７】
〈利用側熱交換器〉
利用側熱交換器（27）は、冷媒と水とを熱交換させる。利用側熱交換器（27）は、第１流路（27a）と第２流路（27b）とを有する。第１流路（27a）は、冷媒が流れる流路である。第２流路（27b）は、水が流れる流路である。第２流路（27b）は、利用機器が備える利用側回路（61）の途中に接続される。利用側熱交換器（27）では、第１流路（27a）を流れる冷媒と、第２流路（27b）を流れる水とが熱交換する。
【００４８】
〈アキュムレータ〉
アキュムレータ（28）は、第１吸入管（51）の途中に接続される。アキュムレータ（28）は、気液分離器である。アキュムレータ（28）内では、液冷媒とガス冷媒とに分離されている。アキュムレータ（28）は、ガス冷媒のみがアキュムレータ（28）から流出されるように構成される。
【００４９】
〈バイパス回路〉
バイパス回路（60）は、バイパス配管（PB）とバイパス逆止弁（29）を有する。バイパス配管（PB）は、第１圧縮機（21）の吸入側と吐出側とを繋ぐ。具体的に、バイパス配管（PB）の一端は、第１吐出管（52）の流出端と第２吸入管（53）の流入端とに接続される。バイパス配管（PB）の他端は、第１吸入管（51）におけるアキュムレータ（28）と第１圧縮機（21）との間に接続される。
【００５０】
バイパス逆止弁（29）は、第１圧縮機（21）の吐出側から吸入側に向かう冷媒の流れを制限する一方、その逆方向の冷媒の流れを許容する。具体的に、バイパス逆止弁（29）の流入側と流出側との差圧の絶対値ΔＰＯが所定の圧力差であるΔＰｎ以上になると、バイパス配管（PB）の冷媒の流れを遮断するようにバイパス逆止弁（29）の弁が閉じる。ΔＰＯおよびΔＰｎについては後述する。
【００５１】
〔インジェクション機構〕
インジェクション機構（30）は、第１圧縮機（21）の吐出側と第２圧縮機（22）の吸入側との間に冷媒を導入する。具体的に、インジェクション機構（30）は、第２運転において、主液管（55）を流れる冷媒の一部を第２圧縮機（22）の吸入側に供給する。インジェクション機構（30）は、インジェクション配管（PJ）とインジェクション膨張弁（31）とを有する。
【００５２】
インジェクション配管（PJ）の一端は、主液管（55）における膨張弁（26）と逆止弁ブリッジ（25）との間に接続される。インジェクション配管（PJ）の他端は、第２吸入管（53）に接続される。
【００５３】
インジェクション膨張弁（31）は、インジェクション配管（PJ）における中間熱交換器（40）の上流側に接続される。インジェクション膨張弁（31）は、インジェクション配管（PJ）を流れる冷媒を減圧する。
【００５４】
〔中間熱交換器〕
中間熱交換器（40）は、第３流路（40a）と第４流路（40b）とを有する。第３流路（40a）は、主液管（55）の途中に接続される。第４流路（40b）はインジェクション配管（PJ）の途中に接続される。中間熱交換器（40）では、主液管（55）を流れる冷媒と、第４流路（40b）を流れる冷媒とが熱交換する。
【００５５】
〔センサ〕
冷凍装置（10）は、冷媒などの温度を検出する温度センサや、冷媒などの圧力を検出する圧力センサなどの各種のセンサを有する。各種のセンサの検出結果（信号）は、制御部（100）に送信される。例えば、冷凍装置（10）は、第１圧力センサ（41）、第２圧力センサ（42）を有する。
【００５６】
第１圧力センサ（41）は、第１吸入管（51）に接続される。第１圧力センサ（41）は、第１吸入管（51）の冷媒の圧力値Ｐ１を検出する。圧力値Ｐ１は、第１圧縮機（21）の吸入側の圧力の圧力値を示す。圧力値Ｐ１は、バイパス逆止弁（29）の流入側の圧力値を示す。
【００５７】
第２圧力センサ（42）は、第２吸入管（53）に接続される。第２圧力センサ（42）は、第２吸入管（53）の冷媒の圧力値Ｐ２を検出する。圧力値Ｐ２は、第２圧縮機（22）の吸入側の圧力値を示す。圧力値Ｐ２は、第１圧縮機（21）の吐出側の圧力値を示す。圧力値Ｐ２は、バイパス逆止弁（29）の流出側の圧力値を示す。
【００５８】
〔制御部〕
図２に示すように、冷凍装置（10）は、制御部（100）を有する。制御部（100）はマイクロコンピュータと、該マイクロコンピュータを動作させるためのソフトウエアを格納するメモリディバイスとを有する。
【００５９】
制御部（100）は、各種のセンサの信号や外部からの制御信号に基づいて、冷媒回路（20）を制御する。制御部（100）は、第１圧縮機（21）と、第２圧縮機（22）と、四路切換弁（23）と、膨張弁（26）と、インジェクション膨張弁（31）と、各種のセンサとを接続する複数の通信線を含む。
【００６０】
制御部（100）は、少なくとも、第１圧縮機（21）と、第２圧縮機（22）と、四路切換弁（23）と、膨張弁（26）と、インジェクション膨張弁（31）とに制御信号を出力する出力部を有する。制御部（100）は、各センサの検出値が入力される入力部を有する。
【００６１】
〔冷凍装置の運転動作〕
実施形態１の冷凍装置（10）では、第１運転と、第２運転とが行われる。第１運転は、第１加熱運転と、第１冷却運転とを含む。第２運転は、第２加熱運転と、第２冷却運転とを含む。第２運転では、第２圧縮機（22）は高段側圧縮機として機能し、第１圧縮機（21）は低段側圧縮機として機能する。
【００６２】
〈第１加熱運転〉
図３に示すように、第１加熱運転では、利用側熱交換器（27）が凝縮器（放熱器）となり熱源側熱交換器（24）が蒸発器となる冷凍サイクルが行われる。具体的には、四路切換弁（23）が第１状態に設定される。膨張弁（26）の開度が適宜調節される。インジェクション膨張弁（31）が全閉状態に設定される。第１圧縮機（21）が停止し、第２圧縮機（22）が駆動する。
【００６３】
第２圧縮機（22）から吐出された冷媒は、四路切換弁（23）を通過し、利用側熱交換器（27）において水に放熱して凝縮する。利用側熱交換器（27）から流出した冷媒は、逆止弁ブリッジ（25）を通過し、主液管（55）を流れる。主液管（55）を流れる冷媒は、膨張弁（26）により減圧され、再び逆止弁ブリッジ（25）を通過した後、熱源側熱交換器（24）において蒸発する。熱源側熱交換器（24）から流出した冷媒は、四路切換弁（23）とアキュムレータ（28）とバイパス配管（PB）とを順に通過し、第２圧縮機（22）に吸入されて圧縮される。
【００６４】
〈第２加熱運転〉
図４に示すように、第２加熱運転では、利用側熱交換器（27）が凝縮器（放熱器）となり熱源側熱交換器（24）が蒸発器となる冷凍サイクルが行われる。具体的には、四路切換弁（23）が第１状態に設定される。膨張弁（26）の開度と、インジェクション膨張弁（31）の開度とが適宜調節される。第１圧縮機（21）および第２圧縮機（22）の両方が駆動する。
【００６５】
第２圧縮機（22）から吐出された冷媒は、四路切換弁（23）を通過し、利用側熱交換器（27）において水に放熱して凝縮する。利用側熱交換器（27）から流出した冷媒は、逆止弁ブリッジ（25）を通過し、主液管（55）を流通する。主液管（55）を流通する冷媒は、中間熱交換器（40）の第３流路（40a）において、第４流路（40b）を流れる冷媒に放熱して過冷却される。その後、主液管（55）を流れる冷媒の一部は、インジェクション配管（PJ）に流入し、残りの冷媒は主液管（55）の膨張弁（26）により減圧される。
【００６６】
減圧された冷媒は、逆止弁ブリッジ（25）を通過し、熱源側熱交換器（24）において蒸発する。熱源側熱交換器（24）から流出した冷媒は、四路切換弁（23）とアキュムレータ（28）とを順に通過し、第１圧縮機（21）に吸入されて圧縮される。第１圧縮機（21）から吐出された冷媒は、第２圧縮機（22）に吸入されて圧縮される。
【００６７】
一方、インジェクション配管（PJ）に流入した冷媒は、インジェクション膨張弁（31）により減圧され、中間熱交換器（40）の第４流路（40b）において第３流路（40a）を流れる冷媒から吸熱して蒸発する。その後、インジェクション配管（PJ）を流れる冷媒は、第２圧縮機（22）の第２吸入管（53）に導入される。
【００６８】
〈第１冷却運転〉
図５に示すように、第１冷却運転では、熱源側熱交換器（24）が凝縮器（放熱器）となり利用側熱交換器（27）が蒸発器となる冷凍サイクルが行われる。具体的には、四路切換弁（23）が第２状態に設定される。膨張弁（26）の開度が適宜調節される。インジェクション膨張弁（31）が全閉状態に設定される。第１圧縮機（21）が停止し、第２圧縮機（22）が駆動する。
【００６９】
第２圧縮機（22）から吐出された冷媒は、四路切換弁（23）を通過し、熱源側熱交換器（24）において凝縮する。熱源側熱交換器（24）から流出した冷媒は、逆止弁ブリッジ（25）を通過し、主液管（55）を流れる。主液管（55）を流れる冷媒は、膨張弁（26）により減圧され、再び逆止弁ブリッジ（25）を通過した後、利用側熱交換器（27）において水から吸熱して蒸発する。利用側熱交換器（27）から流出した冷媒は、四路切換弁（23）とアキュムレータ（28）とバイパス配管（PB）とを順に通過し、第２圧縮機（22）に吸入されて圧縮される。
【００７０】
〈第２冷却運転〉
図６に示すように、第２冷却運転では、熱源側熱交換器（24）が凝縮器（放熱器）となり利用側熱交換器（27）が蒸発器となる冷凍サイクルが行われる。具体的には、四路切換弁（23）が第２状態に設定される。膨張弁（26）の開度と、インジェクション膨張弁（31）の開度とが適宜調節される。第１圧縮機（21）および第２圧縮機（22）の両方が駆動する。
【００７１】
第２圧縮機（22）から吐出された冷媒は、四路切換弁（23）を通過し、熱源側熱交換器（24）において凝縮する。熱源側熱交換器（24）から流出した冷媒は、逆止弁ブリッジ（25）を通過し、主液管（55）を流通する。主液管（55）を流通する冷媒は、中間熱交換器（40）の第３流路（40a）において、第４流路（40b）を流れる冷媒に放熱して過冷却される。その後、主液管（55）を流れる冷媒の一部は、インジェクション配管（PJ）に流入し、残りの冷媒は主液管（55）の膨張弁（26）により減圧される。
【００７２】
減圧された冷媒は、逆止弁ブリッジ（25）を通過し、利用側熱交換器（27）において水から吸熱して蒸発する。利用側熱交換器（27）から流出した冷媒は、四路切換弁（23）とアキュムレータ（28）とを順に通過し、第１圧縮機（21）に吸入されて圧縮される。第１圧縮機（21）から吐出された冷媒は、第２圧縮機（22）に吸入されて圧縮される。
【００７３】
一方、インジェクション配管（PJ）に流入した冷媒は、インジェクション膨張弁（31）により減圧され、中間熱交換器（40）の第４流路（40b）において第３流路（40a）を流れる冷媒から吸熱して蒸発する。その後、インジェクション配管（PJ）を流れる冷媒は、第２圧縮機（22）の第２吸入管（53）に導入される。
【００７４】
−第２運転起動時における課題−
冷凍装置（10）のシステムの停止中や、第１運転の実行中において、外気温度が比較的低いと、停止している第１圧縮機（21）の吸入側の冷媒の圧力も比較的低くなっている場合がある。このような場合、第１圧縮機（21）の圧縮比が一定であると、第２運転開始時において第１圧縮機（21）の吐出側と吸入側との差圧の絶対値は比較的小さくなる。そのため、バイパス逆止弁（29）も流入側と流出側との差圧の絶対値も比較的小さくなり、第２運転が開始されても、第１吸入管（51）を流れる冷媒はバイパス配管（PB）を介して第２圧縮機（22）に吸入される。
【００７５】
この状態が継続されると、第１圧縮機（21）の差圧はより上昇しにくく、第１圧縮機（21）が通常の回転数に達しても、バイパス逆止弁（29）が閉じないままとなる。バイパス逆止弁（29）の閉じない状態が継続されると、第２運転開始後も一部の冷媒はバイパス配管（PB）を経由して第２圧縮機（22）に吸引され続けるため、第１圧縮機（21）と第２圧縮機（22）とによる冷媒の二段圧縮を実現できない。その結果、冷凍装置（10）の能力が低下する問題が生じる。特に、第１圧縮機（21）の方が第２圧縮機（22）よりも圧縮比が小さいため、この問題は顕著に生じ得る。
【００７６】
本実施形態の冷凍装置（10）は、このような課題を考慮し、第２運転開始以降に、バイパス逆止弁（29）が閉じなくなることを抑制する。具体的に、冷凍装置（10）の制御部（100）は、第１制御を実行する。第１制御は、第２運転開始前または第２運転開始時に、第１圧縮機（21）の吐出側と吸入側との差圧を増大させる制御である。
【００７７】
本実施形態では、制御部（100）は、第１動作および第２動作において、第１制御を実行する。第１動作では、第１圧縮機（21）および第２圧縮機（22）の停止状態から第２運転を開始する前に、第１制御が実行される。第２動作では、第１運転から第２運転に切り換える前に、第１制御が実行される。
【００７８】
〈第１動作〉
第１圧縮機（21）及び第２圧縮機（22）の停止中において、制御部（100）に第２運転を実行させる運転指令が入力されると、以下の第１動作が行われる。
【００７９】
制御部（100）は、第１圧縮機（21）および第２圧縮機（22）の停止状態から第２運転を開始する前に、第１制御として第１圧縮機（21）を駆動させる。制御部（100）は、第１制御により第１圧縮機（21）が駆動する間、第１圧縮機（21）の吐出側と吸入側との差圧が所定値以上になると、第２運転を実行させる。第１動作における第１制御について、図７を参照しながら具体的に説明する。
【００８０】
ステップST11では、冷凍装置（10）のシステムが停止した状態において、制御部（100）は、第１制御を実行する。具体的に、制御部（100）は、四路切換弁（23）を第１状態に切り換える。制御部（100）は、第２圧縮機（22）を停止状態にし、第１圧縮機（21）を駆動させる。制御部（100）は、膨張弁（26）の開度を適宜調節し、インジェクション膨張弁（31）を全閉状態に設定する。
【００８１】
第１制御が実行されると、第１圧縮機（21）の吸入側と吐出側との差圧が増大する。これに伴い、バイパス逆止弁（29）の流入側と流出側との差圧も増大する。第１制御実行後、ステップST12が実行される。
【００８２】
ステップST12では、制御部（100）は、第１圧縮機（21）の吐出側と吸入側との差圧であるΔＰＯが、所定値であるΔＰｎ以上であるか否かを判定する。具体的に、制御部（100）は、第１圧力センサ（41）が検出する圧力値Ｐ１と、第２圧力センサ（42）が検出する圧力値Ｐ２との差からΔＰＯを求める。制御部（100）は、ΔＰＯがΔＰｎ以上であるか否かを判定する。圧力値Ｐ１は、バイパス逆止弁（29）の流入側の圧力を示し、圧力値Ｐ２は、バイパス逆止弁（29）の流出側の圧力を示す。そのため、バイパス逆止弁（29）の流入側と流出側との差圧もΔＰＯとなる。このことにより、ΔＰＯ≧ΔＰｎであれば、バイパス逆止弁（29）の弁を閉じることができる。
【００８３】
ΔＰＯ≧ΔＰｎであると判定されると、ステップST13が実行される。一方、ΔＰＯがΔＰｎ未満であると判定されると、バイパス逆止弁（29）の弁は閉まらないため、再度ステップST11が実行される。
【００８４】
ステップST13では、制御部（100）は、第２運転を開始する。具体的に、制御部（100）は、第２圧縮機（22）を駆動させる。第２運転の開始時には、上述した第１制御により、バイパス逆止弁（29）の流出側と流入側との差圧が増大している。そのため、第２運転開始以降、バイパス逆止弁（29）が閉じなくなることを抑制できる。
【００８５】
〈第２動作〉
第１運転から第２運転に切り換える前に、制御部（100）に第２運転を実行させる運転指令が入力されると、以下の第２動作が行われる。制御部（100）は、第１運転から第２運転に切り換える前に、第１制御として第２圧縮機（22）の回転数を低下させる。制御部（100）は、第１制御により第２圧縮機（22）の回転数が低下する間、第２圧縮機（22）の吸入側の冷媒の圧力を示す指標が所定値以上になると、第２運転を実行させる。第２動作における第１制御について、図８を参照しながら具体的に説明する。
【００８６】
ステップST21では、制御部（100）は、第１運転を開始させる。具体的に、制御部（100）は、四路切換弁（23）を第１状態に切り換える。制御部（100）は、第２圧縮機（22）を停止状態にし、第１圧縮機（21）を駆動させる。制御部（100）は、膨張弁（26）の開度を適宜調節し、インジェクション膨張弁（31）を全閉状態に設定する。第１運転開始後、ステップST22が実行される。
【００８７】
ステップST22では、制御部（100）は、第１制御を実行する。具体的に、制御部（100）は、第２圧縮機（22）の回転数を低下させる。第１制御により、第２圧縮機（22）の回転数が低下すると、第２圧縮機（22）の吐出側の圧力が上昇する。第２圧縮機（22）の吐出側と第１圧縮機（21）の吸入側との圧力はほぼ同圧である。第１圧縮機（21）は停止しているため、第１圧縮機（21）の吐出側と吸入側との圧力はほぼ同圧である。このことにより、第２圧縮機（22）の回転数の低下により、第１圧縮機（21）の吸入側の圧力も増大する。
【００８８】
ステップST23では、制御部（100）は、圧力値Ｐ２が所定の圧力値Ｐｍ以上であるか否かを判定する。第２圧縮機（22）の吸入側の冷媒の圧力を示す指標とは、第２圧力センサ（42）が検出する圧力値Ｐ２である。圧力値Ｐｍは、第２運転開始（第１圧縮機（21）の駆動）前に圧力値Ｐ２が圧力値Ｐｍ以上のとき、第２運転開始（第１圧縮機（21）の駆動）時に、ΔＰＯ≧ΔＰｎとなる値である。言い換えると、第２圧縮機（22）の回転数が低下することにより、第２運転開始前にＰ２≧Ｐｍとなると、バイパス逆止弁（29）は閉じることができる。
【００８９】
Ｐ２≧Ｐｍであると判定されると、ステップST24が実行される。Ｐ２がＰｍ未満であると判定されると、ステップST22が実行される。
【００９０】
ステップST24では、制御部（100）は第２運転を開始する。具体的に、制御部（100）は、第１圧縮機（21）を駆動させる。第２運転の開始時には、上述した第１制御により、バイパス逆止弁（29）の流出側と流入側との差圧が増大している。そのため、第２運転開始以降、バイパス逆止弁（29）が閉じなくなることを抑制できる。
【００９１】
−実施形態の効果−
実施形態の特徴（１）では、冷凍装置（10）の冷媒回路（20）は、第１圧縮機（21）の吸入側と吐出側とを繋ぐバイパス配管（PB）と、バイパス配管（PB）に接続され、第１圧縮機（21）の吐出側から吸入側に向かう冷媒の流れを制限する逆止弁（29）とを有する。冷凍装置（10）は、冷媒回路（20）を制御する制御部（100）を備え、該制御部（100）は、第２運転の開始前または開始時に、第１圧縮機（21）の吐出側と吸入側との差圧を増大させる第１制御を実行する。
【００９２】
実施形態の特徴（１）によると、第１圧縮機の吸入側と吐出側との差圧が増大すると同時に、バイパス逆止弁（29）の流入側と流出側との差圧も増大する。そのため、第２運転が開始以降に、バイパス逆止弁（29）が閉まらなくなることを抑制できる。
【００９３】
加えて、第２運転開始後に、冷媒がバイパス配管（PB）を経由して第２圧縮機（22）に吸引されることが抑制される。その結果、第１圧縮機（21）と第２圧縮機（22）とによる冷媒の通常の二段圧縮を実現でき、冷凍装置（10）の能力の低下を抑制できる。
【００９４】
実施形態の特徴（２）では、制御部（100）は、第１圧縮機（21）及び第２圧縮機（22）の停止状態から第２運転を開始する前に、第１制御として第１圧縮機（21）を駆動させる。
【００９５】
実施形態の特徴（２）によると、第１圧縮機（21）と第２圧縮機（22）とが停止している状態から、第１圧縮機（21）が駆動されるため、冷媒は第１圧縮機（21）によって圧縮される。このことにより、第１圧縮機（21）の吸入側と吐出側との差圧が増大する。この結果、その後の第２運転の開始時において、バイパス逆止弁（29）の流入側と流出側との差圧を増大させることができる。その結果、第２運転開始以降、バイパス逆止弁（29）が閉まらなくなることを抑制できる。
【００９６】
実施形態の特徴（３）では、制御部（100）は、第１制御により第１圧縮機（21）が駆動する間、第１圧縮機（21）の吐出側と吸入側との差圧が所定値以上になると、第２運転を実行させる。
【００９７】
実施形態の特徴（３）によると、第１動作において、第１圧縮機（21）が駆動される間、第１圧縮機（21）の吐出側と吸入側との差圧ΔＰＯが、所定値であるΔＰｎ以上になると、第２運転を開始できる。バイパス逆止弁（29）の流入側と流出側との差圧がΔＰｎ以上に増大すると、バイパス逆止弁（29）は閉じることができる。その結果、第２運転開始以降、バイパス逆止弁（29）が閉まらなくなることを抑制できる。
【００９８】
実施形態の特徴（４）では、制御部（100）は、第１運転から第２運転に切り換える前に、第１制御として第２圧縮機（22）の回転数を低下させる。
【００９９】
実施形態の特徴（４）によると、第２動作において、第２圧縮機（22）の回転数が低下すると、第２圧縮機（22）の吸入側の圧力が上昇すると同時に、第１圧縮機（21）の吐出側の圧力も上昇する。第１運転において、第１圧縮機（21）の吸入側と吐出側とはほぼ同圧であるため、第２運転に切り換える前に、第１圧縮機（21）の吸入側の圧力を上昇させることができる。このことにより、第２運転が開始された時、第１圧縮機（21）の吐出側の冷媒の圧力は上昇する。その結果、ΔＰＯが増大し、第２運転開始以降に、バイパス逆止弁（29）が閉じなくなることを抑制できる。
【０１００】
実施形態の特徴（５）では、制御部（100）は、第１制御により第２圧縮機（22）の回転数が低下する間、第２圧縮機（22）の吸入側の冷媒の圧力を示す指標が所定値以上になると、第２運転を実行させる。
【０１０１】
実施形態の特徴（５）によると、第１制御により、第２運転開始前に、第２圧縮機（22）の吸入側の圧力値Ｐ２が所定値である圧力値Ｐｍ以上になると、第２運転を開始できる。圧力値Ｐ２が圧力値Ｐｍ以上になると、第１圧縮機（21）の吸入側の圧力値を示すＰ１も圧力値Ｐｍ以上になる。圧力値Ｐｍは、ΔＰＯがΔＰｎ以上となる値である。このことより、第２運転開始以降に、バイパス逆止弁（29）が閉じなくなることを確実に抑制できる。
【０１０２】
《実施形態１の変形例１》
図９に示すように、本変形例１の冷凍装置（10）は、第１回転検出部（45）、第２回転検出部（46）、第１温度センサ（47）、および第２温度センサ（48）を有する。これらの検出部（45，46）およびセンサ（47，48）は、通信線により制御部（100）と接続される。
【０１０３】
第１回転検出部（45）は、第１圧縮機（21）に設けられる。第１回転検出部（45）は第１圧縮機（21）の回転数を検出する。第１回転検出部（45）は、例えば、第１圧縮機（21）へ供給される電流を検出する電流センサである。該電流センサが検出する電流値に基づいて第１圧縮機（21）の回転数が検出される。
【０１０４】
第２回転検出部（46）は、第２圧縮機（22）に設けられる。第２回転検出部（46）は第２圧縮機（22）の回転数を検出する。第２回転検出部（46）は、例えば、第２圧縮機（22）へ供給される電流を検出する電流センサである。該電流センサが検出する電流値に基づいて第２圧縮機（22）の回転数が検出される。
【０１０５】
第１温度センサ（47）は、第１吸入管（51）に接続される。第１温度センサ（47）は、第１圧縮機（21）に吸入される冷媒の温度を検出する。
【０１０６】
第２温度センサ（48）は、第２吸入管（53）に接続される。第２温度センサ（48）は、第２圧縮機（22）に吸入される冷媒の温度を検出する。
【０１０７】
本変形例１の冷凍装置（10）では、制御部（100）に第２運転を実行させる運転指令が入力されると、以下の第３動作が行われる。第３動作では、制御部（100）は、冷凍装置（10）のシステムの停止状態から第１圧縮機（21）と第２圧縮機（22）との両方を同時に駆動させることにより、第２運転を開始させる。制御部（100）は第２運転の開始時に、第１制御を実行する。具体的に、駆動中の第２圧縮機（22）の冷媒の流量が、駆動中の第１圧縮機（21）の冷媒の流量以下となるように、第１制御として、第１圧縮機（21）の回転数を変更せず、第２圧縮機（22）の回転数を低下させる。第３動作における第１制御について、図１０を参照しながら説明する。
【０１０８】
ステップST31では、制御部（100）は、第２運転を開始させる。具体的に、制御部（100）は、四路切換弁（23）を第１状態に切り換える。制御部（100）は、第１圧縮機（21）と第２圧縮機（22）とを駆動させる。制御部（100）は、膨張弁（26）の開度を適宜調節する。第２運転開始後、ステップST32が実行される。
【０１０９】
ステップST32では、制御部（100）は、第１制御を実行する。第１制御により、第１圧縮機（21）の回転数は変更されず、第２圧縮機（22）の回転数が低下する。そのため、第１圧縮機（21）の冷媒の流量は変化しないが、第２圧縮機（22）の冷媒の流量は減少する。第２圧縮機（22）の吸入側および第１圧縮機（21）の吐出側の圧力が上昇する。
【０１１０】
ステップST33では、制御部（100）は、第２圧縮機（22）の冷媒の流量Ｍ２が、第１圧縮機（21）の冷媒の流量Ｍ１以下であるか否かを判定する。流量Ｍ２が流量Ｍ１以下となると、第２圧縮機（22）の吸入側および第１圧縮機（21）の吐出側の圧力が増大し、バイパス逆止弁（29）は閉じることができる。このことにより、第１圧縮機（21）の吸入側と吐出側との差圧が増大する。流量Ｍ１≧流量Ｍ２と判定されると、第１制御が解除され通常の動作に移行する。第２圧縮機（22）の回転数は、利用側機器の負荷に応じて調整される。流量Ｍ１が流量Ｍ２未満であると判定されると、再度ステップST32が実行される。
【０１１１】
ここで、制御部（100）は、圧縮機の回転数Ｎと、押しのけ容積（シリンダ容積）Ｖと、吸入密度ρとに基づいて、圧縮機の冷媒の流量Ｍを求める。流量Ｍは、質量流量である。具体的に、流量Ｍは、Ｍ＝Ｎ×Ｖ×ρにより求められる。
【０１１２】
回転数Ｎは、回転数検出部（45，46）によって求められる。吸入密度は、各圧縮機（21，22）に吸入される冷媒の温度及び圧力によって求められる。押しのけ容積Ｖは、各圧縮機（21，22）の仕様に応じて予め制御部（100）に設定される。
【０１１３】
具体的に、制御部（100）は、第１回転検出部（45）の検出値に基づいて第１圧縮機（21）の回転数Ｎ１を求める。制御部（100）は、第１圧力センサ（41）の検出値と第１温度センサ（47）の検出値とに基づいて吸入密度ρ１を求める。制御部（100）は、回転数Ｎ１と、吸入密度ρ１と、第１圧縮機（21）の押しのけ容積Ｖ１とに基づいて第１圧縮機（21）の冷媒の流量Ｍ１を求める。
【０１１４】
制御部（100）は、第２回転検出部（46）の検出値に基づいて第２圧縮機（22）の回転数Ｎ２を求める。制御部（100）は、第２圧力センサ（42）の検出値と第２温度センサ（48）の検出値とに基づいて吸入密度ρ２を求める。制御部（100）は、回転数Ｎ２と、吸入密度ρ２と、第２圧縮機（22）の押しのけ容積Ｖ２とに基づいて第２圧縮機（22）の冷媒の流量Ｍ２を求める。
【０１１５】
本変形例によると、第３動作において、第１圧縮機（21）の回転数を変更することなく、第２圧縮機（22）を流れる冷媒の流量を、第１圧縮機（21）を流れる流量以下とすることができる。第２圧縮機（22）の回転数を制御するだけでよいので、第１制御を簡便に実行できる。
【０１１６】
加えて、第１制御により、第１圧縮機（21）の流量が第２圧縮機（22）と同等流量以上になるまでの時間を短縮できる。このことにより、第１圧縮機（21）の吐出側と吸入側との差圧ΔＰＯをすみやかにΔＰｎ以上にすることができる。その結果、第２運転開始以降、バイパス逆止弁（29）が閉じなくなることを抑制できる。
【０１１７】
《実施形態の変形例２》
実施形態の変形例２では、第１動作における第１制御後の判定方法が上記実施形態と異なる。具体的に、図１１を参照しながら説明する。
【０１１８】
ステップST41では、制御部（100）は、実施形態１のステップST11と同様の第１制御を実行する。
【０１１９】
ステップST42では、制御部（100）は、第１圧縮機（21）が駆動される時間が所定時間を超えたか否かを判定する。第１圧縮機（21）が駆動される時間が所定時間を超えると、第１圧縮機（21）の吸入側と吐出側との差圧が増大する。制御部（100）が、所定時間を経過したと判定した場合、ステップST43が実行される。制御部（100）が所定時間を経過していないと判定した場合、再度ステップST42が実行される。
【０１２０】
ステップST43では、制御部（100）は、実施形態１のステップST13と同様に、第２圧縮機（22）を駆動させて第２運転を実行させる。
【０１２１】
本変形例では、制御部（100）は、第１圧縮機（21）が駆動後、所定時間を経過したか否かを判定される。第１圧縮機（21）の吐出側と吸入側との差圧ΔＰＯを検出する必要がないため、第２運転開始以降、バイパス逆止弁（29）が閉じなくなることを簡便に抑制できる。
【０１２２】
《実施形態の変形例３》
実施形態の変形例３に係る第１制御は、第２動作における上記実施形態の第１制御と異なる。本変形例では、制御部（100）は、第１運転から第２運転に切り換わる前に、第１制御として、インジェクション機構（30）により冷媒を第１圧縮機（21）の吐出側と第２圧縮機（22）の吸入側との間に導入する。具体的に、図１２を参照しながら説明する。
【０１２３】
ステップST51では、制御部（100）は、実施形態１のステップST21と同様に第１運転を実行させる。
【０１２４】
ステップST52では、制御部（100）は、第１制御を実行する。第１制御により、インジェクション膨張弁（31）の開度が調節される。第１運転において、主液管（55）を流れる冷媒の一部は、インジェクション配管（PJ）に流入し、インジェクション膨張弁（31）により減圧される。減圧された冷媒は中間熱交換器（40）で熱交換された後、第２吸入管（53）に流入する。このことで、第１運転において第２圧縮機（22）の吸入側の圧力が上昇すると同時に、第１圧縮機（21）の吸入側の圧力も上昇する。
【０１２５】
ステップST53では、制御部（100）は、実施形態１のステップST23と同様に、第１圧力センサ（41）の検出値Ｐ２がＰｍ以上であるか否かを判定する。
【０１２６】
ステップST54では、制御部（100）は、実施形態１のステップST24と同様に第２運転を実行させる。
【０１２７】
本変形例では、インジェクション膨張弁（31）を開けることにより、インジェクション配管（PJ）から冷媒を第２吸入管（53）にインジェクションできる。このことにより、第１運転から第２運転に切り換わる前に、簡便に第１圧縮機（21）の吸入側の冷媒の圧力を上昇させることができる。
【０１２８】
《実施形態の変形例４》
実施形態の変形例４に係る冷凍装置（10）は、外気温を検出する外気温度センサ（図示省略）を有する。外気温度センサは、通信線により制御部（100）と接続されている。
【０１２９】
本変形例の第１制御は、第１動作から第３動作における上記実施形態の第１制御と異なる。以下では、第１動作において本変形例に係る第１制御について、図１３を参照しながら説明する。
【０１３０】
ステップST61では、制御部（100）は外気温度センサが検出した温度値Ｔが所定値であるＴＯ以下であるか否かを判定する。ここで、外気温度センサで検出した温度値Ｔが比較的低い状態において、第２運転を行うと、第１圧縮機（21）に吸入される冷媒の圧力（蒸発圧力）が低くなる。この状態では、第１圧縮機（21）の吐出側と吸入側との差圧は比較的低くなるため、バイパス逆止弁（29）が閉じなくなる。従って、温度値Ｔが所定値ＴＯ以下であると判定されたとき、ステップST61において第１制御が実行される。温度値Ｔが所定値ＴＯより高いと判定されたとき、ステップST63が実行される。
【０１３１】
ステップST62では、制御部（100）は、実施形態１のステップST11と同様に、第１制御を実行する。
【０１３２】
ステップST63では、制御部（100）は、実施形態１のステップST12と同様に、ΔＰＯがΔＰｎ以上であるか否かを判定する。
【０１３３】
ステップST64では、制御部（100）は、実施形態１のステップST13と同様に、第２運転を開始する。
【０１３４】
本変形例によると、外気温が所定の温度以下において、第１制御を行うことにより、第２運転開始時の第１圧縮機（21）の吸入側と吐出側との差圧が小さくなることを抑制できる。このことにより、第２運転開始以降にバイパス逆止弁（29）が閉じなくなることを確実に抑制できる。
【０１３５】
《その他の実施形態》
上記実施形態については、以下のような構成としてもよい。
【０１３６】
第１動作において、制御部（100）はステップST12における判定を行わなくてもよい。具体的に、制御部（100）は、第１制御を実行した後（ステップST11）、第２圧縮機（22）を駆動させてもよい（ステップST13）。
【０１３７】
第３動作のステップST32において、制御部（100）は、第２運転の開始時に、第１制御として、駆動中の第２圧縮機（22）の冷媒の流量が、駆動中の第１圧縮機（21）の冷媒の流量以下となるように、第１圧縮機（21）および第２圧縮機（22）の少なくとも一方の回転数を調節してもよい。
【０１３８】
例えば、制御部（100）は、第２圧縮機（22）の回転数を変更せず、第１圧縮機（21）の回転数を上昇させてもよい。第１圧縮機（21）の回転数のみを調節すればよいので簡便に第１制御を実行できる。
【０１３９】
また、制御部（100）は、第１圧縮機（21）および第２圧縮機（22）の両方の回転数を調節してもよい。この場合、制御部（100）は、第１圧縮機（21）の回転数を上昇させ、第２圧縮機（22）の回転数を低減させるように調節する。このことにより、より短時間で第２圧縮機（22）の冷媒の流量Ｍ２が第１圧縮機（21）の冷媒の流量Ｍ１以下とすることができる。
【０１４０】
実施形態の変形例２において、制御部（100）は、第２運転の開始時に第１制御を実行してもよい。
【０１４１】
実施形態の変形例３において、制御部（100）は、第２動作および第３動作においても外気温が所定値以下であるとき第１制御を実行してもよい。
【０１４２】
実施形態の変形例１において、第１制御は、第１圧縮機（21）を駆動させてから第２圧縮機（22）を駆動させる第２運転開始時に第１制御を行ってもよい。
【０１４３】
冷凍装置（10）は、第１圧縮機（21）の吸入側の冷媒温度を検出する第１温度センサ（図示省略）、および第１圧縮機（21）の吐出側（第２圧縮機（22）の吸入側）の冷媒温度を検出する第２温度センサ（図示省略）を備えていてもよい。第１圧縮機（21）の吸入側の圧力値Ｐ１は、第１温度センサに検出される温度に相当する飽和圧力に基づいて求めてもよい。第１圧縮機（21）の吐出側および第２圧縮機（22）の吸入側の圧力値Ｐ２は、第２温度センサに検出される温度に相当する飽和圧力に基づいて求めてもよい。
【０１４４】
第１圧縮機（21）および第２圧縮機（22）は、ロータリ式の圧縮機であってもよいし、揺動ピストン式の圧縮機であってもよいし、ターボ式の圧縮機であってもよいし、その他の圧縮機であってもよい。
【０１４５】
第１回転検出部（45）及び第２回転検出部（46）はそれぞれ、圧縮機（21，22）のトルク値を検出する装置であってもよいし、圧縮機（21，22）の回転数を検出する装置であってもよい。
【０１４６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１４７】
以上説明したように、本開示は、冷凍装置について有用である。
【符号の説明】
【０１４８】
２０      冷媒回路
２１      第１圧縮機
２２      第２圧縮機
ＰＢ      バイパス配管
２９      バイパス逆止弁（逆止弁）
３０      インジェクション機構
１００      制御部
【要約】
【課題】第１圧縮機（21）および第２圧縮機（22）が駆動される第２運転開始以降、バイパス配管（PB）に接続される逆止弁（29）が閉じなくなることを抑制する冷凍装置を提供する。
【解決手段】冷凍装置（10）は、第１圧縮機（21）と、該第１圧縮機（21）の吐出側に接続される第２圧縮機（22）とを含む冷媒回路（20）と、冷媒回路（20）を制御する制御部（100）とを備え、制御部（100）は、第１圧縮機（21）と第２圧縮機（22）とが駆動される第２運転の開始前または開始時に、第１圧縮機（21）の吐出側と吸入側との差圧を増大させる第１制御を実行する。
【選択図】図７【図１】
0006897837.tif 000002
【図２】
0006897837.tif 000003
【図３】
0006897837.tif 000004
【図４】
0006897837.tif 000005
【図５】
0006897837.tif 000006
【図６】
0006897837.tif 000007
【図７】
0006897837.tif 000008
【図８】
0006897837.tif 000009
【図９】
0006897837.tif 000010
【図１０】
0006897837.tif 000011
【図１１】
0006897837.tif 000012
【図１２】
0006897837.tif 000013
【図１３】
0006897837.tif 000014